(57)【特許請求の範囲】
【請求項１】
箱体を形成する前後及び両側の四壁板の板面上部を、箱体上縁に沿って施した一連の開封用のミシン目により帯状の開封部に区画し、その開封部の切断端を後壁板以外の板面に箱体上縁からミシン目を斜めに施して形成し、そのミシン目と共に切り起こし用の切込みを切断端の上縁に斜めに施し、後壁板上縁の隅みに切り裂き用のミシン目を施してなることを特徴とする開封が容易な集積箱を兼ねる包装用箱。
【請求項２】
上記前壁板と後壁板の開封用のミシン目を同一方向に斜めに施し、開封部切除後の箱体開口縁を傾斜形成してなることを特徴とする請求項１記載の開封が容易な集積箱を兼ねる包装用箱。
【発明の詳細な説明】
【０００１】
【発明の属する技術分野】
本発明は、個別包装の多数個の製品を収納した箱体を、開封後にそのまま製品の集積箱として使用することができる紙製の包装用箱に関するものである。
【０００２】
【発明が解決しようとする課題】
図１０（Ａ）（Ｂ）は、従来の集積箱を兼ねる包装用箱を示すもので、箱体２０を開封後にそのまま集積箱３０として収納製品４０を整列状態で陳列や保管できるように、箱体２０を形成する四周壁板２１の板面中程を、上下２条のミシン目２２により一連の開封帯２３に形成し、その開封帯２３をミシン目２２を施して形成した切開端２５から引っ張って、四周壁板２１のミシン目２２の切り離しにより箱体２０の開封を行うようにしている。
【０００３】
このような開封帯２３では、ミシン目２２が切り離れるに連れて帯が長くなり、これにより開封帯２３が途中で切れ易くなったり、またミシン目２２の切れが思うように行かぬなどのことから、意外に開封に手間取ることが多い。また切り離された開封帯２３が塵芥となり易く、開封前の包装用箱としても、箱体２０を上から掴んだときに指先が開封帯２３に掛かると、帯の撓みによりミシン目２２が簡単に切れて箱体２０が破れるなどの課題を有する。
【０００４】
上記開封手段を有する集積箱兼用の包装用箱は、個別包装された菓子やレトルト食品など以外にも、医療品や医薬品に多く使用されつつある。薬局や調剤室などでは、医薬品を箱体に収納した状態で保管することが多いことから、開封後にそのまま収納時の整列を保ちながら置くことができ、また製品を簡単に取り出すこともできる包装用箱は重宝される。特に点滴液のように重い内容物の個別包装の製品では、箱体に厚紙を使用できるので頗る具合がよいのであるが、これまでのものは、開封を丁寧に行わなければ箱体を損なうので、出来るだけ開封が簡単に行え、さらには残量が容易に確認できる構造のものが望まれている。
【０００５】
本発明は上記事情から考えられたものであって、その目的は、箱体上部に帯状の開封部を区画形成することによって、開封を容易となし、開封後においても製品を収納時の整列を保ちながらそのまま箱体内に保管することができ、また残量の確認を行い易い新たな開封が容易な集積箱を兼ねる包装用箱を提供することにある。
【０００６】
【課題を解決するための手段】
上記目的による本発明は、箱体を形成する前後及び両側の四壁板の板面上部を、箱体上縁に沿って施した一連の開封用のミシン目により帯状の開封部に区画し、その開封部の切断端を後壁板以外の板面に箱体上縁からミシン目を斜めに施して形成し、そのミシン目と共に切り起こし用の切込みを切断端の上縁に斜めに施し、後壁板上縁の隅みに切り裂き用のミシン目を施してなる、というものである。
【０００７】
また本発明は、上記前壁板と後壁板の開封用のミシン目を同一方向に斜めに施し、開封部切除後の箱体開口縁を傾斜形成してなる、というものである。
【０００８】
本発明にあっては、帯状部の切断端の上縁にミシン目と共に斜めに施した切り起こし用の切込みがあるので、切断端の上縁を摘んで外側に引っ張るとミシン目が切れ、その部分が指先で摘めるほどに板面から切り離されて開封部の端部となる。その端部を摘んで横に引っ張ると、開封用と切り裂き用のミシン目が切れ、四壁板の開封用のミシン目が切り離されて箱体上部が分離し、箱体は開封されて収納製品が整列状態で収まった集積箱となる。
なお、本発明では、開封後の箱体を集積箱として使用することから、開封用のミシン目は、開封により形成された集積箱の開口縁にギザとしてが残らない形状のミシン目が好ましい。
【０００９】
【発明の実施の形態】
以下、本発明の幾つかの実施の形態を図に示して詳説する。
図中１は包装用箱の箱体で、図４及び図５、図９の展開図に示すように、後壁板２、側壁板３、前壁板４、側面板５を折り線を施して横並びに連設し、その後壁板２の上縁に片閉じ蓋板６を、両側壁板３，５の上縁に蓋受け用のフラップ７，８を折り線を施すとともに、各壁板の下縁に底部構成板を折り線を施して連設した、１枚の紙板の組み立てによるオートボトムのタックイン箱からなる。
【００１０】
上記箱体１を形成する前後及び両側の四壁板２，３，４，５の板面上部は、箱体上縁に沿って施した一連の開封用のミシン目９により所要幅の帯状の開封部１０に区画され、そのミシン目９から四壁板２，３，４，５の開封部１０が蓋体６による天板とともに箱体上部として分離できるようにしてある。
【００１１】
図１から図４に示す第１実施形態は、上記開封部１０の切断端１１を蓋閉じ側となる前壁板４にミシン目１２を箱体上縁から斜めに施して形成し、その切断端１１と対向する後壁板２の上縁２ａの隅みに切り裂き用のミシン目１３を施して、箱体１の表側から開封を行えるようにしたものである。
【００１２】
この前壁板４における開封部１０の切断端１１は、蓋板６との糊り付け位置１４よりも側壁板５に近接した前壁板４の片側に、上記ミシン目１２を上縁から斜めに施して形成され、その切断端１１の上縁には、さらに切り起こし用の切込み１５がミシン目１２と共に斜めに施してある。
【００１３】
このような箱体１では、上記切断端１１の上縁を摘んで外側に引っ張ると、切込み１５によりミシン目１２の端が切れて、切断端１１が切り起こされる。そのまま切り起こし端を摘んで横に引っ張ると、ミシン目９が順に切り離れて、開封部１０の切り離しは、側壁板５へと帯状に皮が剥けてゆく様に移行するようになり、側壁板５では切り開かれた開封部１０とともにフラップ８が蓋板６から抜け出る。
【００１４】
開封が後壁板２のコーナーまで進むと、後壁板上縁２ａの片隅みにミシン目１３が施してあることから、そのミシン目１３により後壁板２と蓋板６とが切り裂かれるようになる。これによりコーナーにおけるミシン目９の切り損じがなくなり、そのまま切り離れた開封部１０を外側に引き回すような感じで上側に引っ張ると、後壁板２及び側壁板５、前壁板半部のミシン目９が簡単に切り離れて箱体上部が完全に分離し、図１０（Ｂ）に示す従来と同様な形態の集積箱となる。
【００１５】
図５及び図６に示す第２実施形態は、一方の側壁板３の上記ミシン目９を下方に位置をずらせて施し、その側壁板３と他方の側壁板５のミシン目９とに高低差を持たせて、後壁板２と前壁板４のミシン目９を同一方向に斜めに施し、また前壁板４における開封部１０の上記切断端１１を、蓋板６との糊り付け位置１４よりも一方の側壁板３に近接した前壁板４の片側に、上記ミシン目１２を上縁から斜めに施して形成し、その切断端１１の上縁に切り起こし用の上記切込み１５をミシン目１２と共に斜めに施して、前壁板４の側壁板３側から開封を行えるようにしたものである。
【００１６】
このような実施形態では、包装用箱として使用されていた箱体１が、開封部１０の切除後には、図６（Ｂ）に示すような開口縁２１が斜めに形成された集積箱２０となり、その開口縁２１から個別包装された製品４０の上部が整列状態で現れた集積箱２０となる。
【００１７】
なお、上記実施形態ではいずれもミシン目１２を斜めに施して開封部１０の切断端１１を形成しているが、切断端１１は前壁板４以外の両側壁板３，５の任意位置に形成してもよく、その形成位置が異なっても密封及び開封機能には何ら変わるところはないので、本発明では切断端１１の形成について、図示の実施形態に限定されるものではない。
【００２０】
本発明による箱体１は、上述のように箱体の四周に開封用のミシン目９を巡らせた状態にあるが、箱体自体の構造は通常の紙製箱体と何ら変わるところがないので、後壁板２に接続した蓋板６を開いて、個別包装した多数の製品を収納し、蓋閉じにより包装用箱して使用することに差し支えはない。また帯状の開封部１０の上縁は閉蓋状態にある蓋板６やフラップ７，８により支えられているので撓み難く、したがって箱体１の前後面を掴んでも持っても、開封用のミシン目９が切れて箱体が破れるようなこともない。また開封は箱体上部を分離するだけで済むので、これまでに見られた開封帯のような塵芥が生ずるようなこともない。
【図面の簡単な説明】
【図１】  本発明に係る開封が容易な集積箱を兼ねる包装用箱の第１実施形態の表側斜視図である。
【図２】  開封状態を示す表側斜視図である。
【図３】  開封状態を示す裏側斜視図である。
【図４】  包装用箱の展開図である。
【図５】  本発明の第２実施形態の包装用箱の展開図である。
【図６】  同上の包装用箱と開封後の集積箱の斜視図である。
【図７】  従来の集積箱を兼ねる包装用箱と開封後の集積箱の斜視図である。
【符号の説明】
１      箱体
２      後壁板
２ａ    後壁板上縁
３，４  側壁板
５      前壁板
６      蓋板
７，８  フラップ
１０    開封部
１１    開封部の切断端
１２    切断用のミシン目
１３    切り裂き用のミシン目
【図１】
0003948198.tif 000002
【図２】
0003948198.tif 000003
【図３】
0003948198.tif 000004
【図４】
0003948198.tif 000005
【図５】
0003948198.tif 000006
【図６】
0003948198.tif 000007
【図７】
0003948198.tif 000008